(57)【特許請求の範囲】
【請求項１】
浴室への換気用空気を取り入れるための取入れ口であって、この取入れ口は、第一の取入れ口とその第一の取入れ口よりも上方における浴室の比較的高い位置に設けられた第二の取入れ口とからなり、第一の取入れ口には、その第一の取入れ口を開閉する遮蔽具を設けるとともに、この遮蔽具はそれ自体が雰囲気温度に応じて形態が変化する動作部材で構成されるか、若しくは同様の動作部材に連結されて、高温時には前記第一の取入れ口を開き、低温時には閉じるよう構成し、第二の取入れ口には、その第二の取入れ口を開閉する遮蔽具を設けるとともに、この遮蔽具はそれ自体が雰囲気温度に応じて形態が変化する動作部材で構成されるか、若しくは同様の動作部材に連結されて、高温時にはこの第二の取入れ口を閉じ、低温時には開くよう構成してなることを特徴とする浴室の換気取入れ口。
【請求項２】
前記取入れ口は浴室のドアに形成してあることを特徴とする請求項１の浴室の換気取入れ口。
【請求項３】
前記遮蔽具は、複数若しくは多数の羽板からなるがらり構造であって、それらの羽板を前記動作部材へ連結してあることを特徴とする請求項１又は２に記載した浴室の換気取入れ口。
【発明の詳細な説明】
【０００１】
【発明の属する技術分野】
この発明は、浴室の換気取入れ口に関するものである。
【０００２】
【従来の技術】
図４は、従来一般に用いられている浴室（１）の換気装置の概略を示している。浴室（１）の天井壁（２）のコーナー部分に、換気用の空気を排出するための換気扇（３）が設けられ、この換気扇（３）の位置に対向するようにして、脱衣室（４）との間のドア（５）の下部部分に、がらり構造の取入れ口（６）が設けられている。すなわち、天井部の換気扇（３）で浴室内の空気を排出すると同時に、反対側の取入れ口（６）から新気を取り入れるようにしている。
【０００３】
【発明が解決しようとする課題】
上記のように、浴室に換気扇を設けると、ドア側から新気を吸い込みながら天井部部から排出するため、特に夏場においては、浴室内の結露対策に効果があるとともに、高温の蒸気が速やかに排出されるため、何よりも涼しいという利点がある。
【０００４】
しかし、半面、温度の低い冬場では、下側から入り込んできた低温の空気が入浴者の肌に触れるように流れるため、逆に寒いという欠点がある。特に、現状では夏の暑さよりも冬場の寒さに対する不満の方が大きく、これに対する有効な対策が求められている。
【０００５】
この発明は、冬寒いという従来の浴室換気の欠点を解消して、夏は涼しく冬は暖かくなるような低コストの換気取入れ口の構造を提供することを目的としてなされたものである。
【０００６】
【課題を解決するための手段】
上記の課題を解決するため、この発明は、まず、浴室への換気用空気を取り入れるための取入れ口であって、この取入れ口は、第一の取入れ口とその第一の取入れ口よりも上方における浴室の比較的高い位置に設けられた第二の取入れ口とからなり、第一の取入れ口には、その第一の取入れ口を開閉する遮蔽具を設けるとともに、この遮蔽具はそれ自体が雰囲気温度に応じて形態が変化する動作部材で構成されるか、若しくは同様の動作部材に連結されて、高温時には前記第一の取入れ口を開き、低温時には閉じるよう構成する。
【０００７】
そして、第二の取入れ口には、その第二の取入れ口を開閉する遮蔽具を設けるとともに、この遮蔽具はそれ自体が雰囲気温度に応じて形態が変化する動作部材で構成されるか、若しくは同様の動作部材に連結されて、高温時にはこの第二の取入れ口を閉じ、低温時には開くよう構成してなることを特徴とするものである。
【０００８】
上記において、前記取入れ口は、この種のものに従って、通常浴室のドアに形成する。また、前記遮蔽具は、複数若しくは多数の羽板からなるがらり構造として、それらの羽板を前記動作部材へ連結することが考えられる。
【０００９】
【作用】
上記のように、換気取入れ口に遮蔽具を設けているので、この遮蔽具を閉じることで冬場の寒さを軽減することができるのみならず、動作部材が季節の温度変化に応じて自動的に働いて、寒い冬場のみに取入れ口を閉じる。
【００１０】
【発明の実施の形態】
図１〜図３は、浴室のドアの取入れ口にこの発明を実施した場合の実施例であって、図３で示すように、ドア(11)の下端に第一の取入れ口(14)を、上部側に第二の取入れ口(21)を形成している。図１及び図２は、この発明の第一の取入れ口(14)部分のみを示し、図１が夏場の高温時の状態を、図２は、冬場の低温時の状態を示している。ドア(11)の下端部分の換気用の第一の取入れ口(14)は、図の右側の浴室(12)と同じく左側の脱衣室(13)とを連通するようにして開口されている。この発明の遮蔽具は、複数枚(図では４枚)の羽板(15)(15)…からなり、これらの羽板(15)(15)…が上下に間隔をおいて、前記第一の取入れ口(14)内に配置されるとともに、この取入れ口(14)の内外方向の中央部分において、回転軸(10)(10)…でそれぞれ上下方向に回転自在に軸支されている。この羽板(15)(15)…の内外方向の一方の端部、即ち、図の浴室(12)側の端部が、垂直方向のリンク(16)で相互に各々回転可能に枢支連結されている。即ち、このリンク(16)を上下させることによって、各羽板(15)(15)が共に同じ方向の上下方向に回転することになる。
【００１１】
(17)が形状記憶合金からなる伸縮性動作部材であって、その一端が前記リンク(16)の下端に連結されるとともに、他方の端部が、第一の取入れ口(14)の底部を下向きに凹入させた凹所(18)内において、ドア(11)側に連結されている。この形状記憶合金製動作部材(17)は、夏場等の高温時においては、図１のように伸長し、冬場等の低温時には、図２のように収縮するように形状記憶させられている。そのため、図１のように伸長した状態では、前記リンク(16)を上方に押し上げて、羽板(15)(15)の浴室(12)側の端部を上方に回転させ、各羽板(15)(15)同士及び羽板(15)と第一の取入れ口(14)の上部壁又は下部壁との間に平行な隙間が形成されて、この取入れ口(14)を内外に連通するような開状態におかれる。従って、夏場等の高温時には、脱衣室(13)側から第一の取入れ口(14)を通って浴室(12)内に新気を取り入れる。この場合、図のように、羽板(15)(15)は、浴室(12)側の端部が下側に下降した斜めとなることによって、外部からの空気を浴室(12)の床面(19)側へ向かって斜めに取り入れるようにしており、これにより、その床面(19)に残った残り水を早期に乾燥できるような構造としてある。
【００１２】
他方、冬場においては、図２で示すように、動作部材(17)が収縮するので、リンク(16)は、下方に引き下ろされ、羽板(15)(15)…の浴室(12)側の端部が下向きに回転して、それら羽板(15)(15)同士がほぼ接触するとともに、上端の羽板(15)と下端の羽板(15)の端部が第一の取入れ口(14)の上部壁若しくは下部壁に当接して、この取入れ口(14)を遮蔽する。このため、冬場の低温時においては、第一の取入れ口(14)での脱衣室(13)側からの新気の取り入れは行われないことになる。図２では、これらの羽板(15)(15)が完全に第一の取入れ口(14)を遮蔽しているが、そのように必ずしも完全に閉じる必要がなく、一部少量の換気を取り入れるような隙間を有していても良いものである。即ち、遮蔽するとは、完全に遮蔽する場合のみならず、部分的に隙間を残している場合をも含む趣旨である。
【００１３】
第二の取入れ口(21)は図３に示されている。なお、ドア(11)下端側の第一の取入れ口(14)の構造は、図１及び図２と同様であるのでその説明は省略する。また、図３において、(Ａ)が夏場を、(Ｂ)が冬場を示している。この第二の取入れ口(21)においても、複数の羽板(22)(22)…によって遮蔽部材を構成しており、これらが前記図１及び図２と同様に、水平方向の軸(23)で上下に回転可能に支持されて、垂直方向のリンク(24)により浴室(12)側で互いに連結されている。
【００１４】
第二の取入れ口（２１）の上部壁を上方に凹入させた凹所（２５）内に、同じく形状記憶合金からなる伸縮性動作部材（２６）を配置して、その下端をリンク（２４）の上端部に連結し、上端を前記凹所（２５）内においてドア（１１）側に連結している。この第二の取入れ口（２１）側の動作部材（２６）は、第一の取入れ口（１４）側の動作部材（１７）とは逆方向に機能するように形状記憶されており、（Ａ）の夏場の高温時においては、動作部材（２６）が収縮して羽板（２２）（２２）…を上方に回転させ、取入れ口（２１）を遮蔽する。他方、冬場の低温時においては、（Ｂ）のように伸長して羽板（２２）を上方に回転させ羽板（２２）（２２）…間及び羽板（２２）と取入れ口（２１）の上部壁又は下部壁との間に平行な隙間を形成して、取入れ口（２１）を内外に連通させるようにしている。
【００１５】
即ち、高温の夏場においては、同様にドア(11)下端側の第一の取入れ口(14)は、羽板(15)によって開かれており、他方、上部側の第二の取入れ口(21)は閉じられているから、夏場においては、この下側の第一の取入れ口(14)のみから新気が取り入れられて、浴室(12)に涼風を送り込むことになる。他方、冬場においては、図(Ｂ)のように下側の第一の取入れ口(14)が塞がれ、上部側の第二の取入れ口(21)が開かれるから、新気は比較的高所である上部側からのみ取り入れられることとなり、浴室(12)内に入浴中の入浴者の肌に触れるのを防止して、冬の換気の際の寒さを軽減できるようになっている。特に、この実施例のように、第二の取入れ口(21)では、各羽板(22)(22)…が浴室側に向かって上昇するような斜めとされているため、新気は浴室(12)の天井方向に向かって流入することになり、ほぼ入浴者の肌に触れるのを完全に防止することができる。このように第一の出入り口(14)と第二の出入り口(21)を設けることにより、冬場でも換気が行えることになる。
【００１６】
なお、上記実施例では、形状記憶合金を用いて、遮蔽具である羽板（１５）（２２）の回転を行わしめるようにしたが、温度によって形態が変わるものであれば、形状記憶合金或いはそのようなものでなくてもよく、例えば、バイメタルのような素子を用いることができる。また、遮蔽手段としては、かかる羽板（１５）（２２）に限らずその他のものであってもよい。
【００１７】
【発明の効果】
以上のように、この発明によれば、冬場の低温時においては、換気の取入れ口が遮蔽されるため、低温の新気が浴室内に流入してその低温の空気が入浴者の肌に触れるのを防止することができ、冬の寒さを軽減できるという効果がある。特にこの発明では、このような遮蔽を温度変化によって動作する形状記憶合金等の素子を用いて自動的に行うようにしているため、手動で行うもののように冬場に遮蔽したまま夏に開けるのを忘れるといった不都合がない。更に、冬場においても、冷たい空気が入浴者の肌に触れるのを防ぎながらなおかつ換気を行えるという利点がある。
【図面の簡単な説明】
【図１】この発明の実施例を示すドア下端部分の縦断面図である。
【図２】同じくこの発明の実施例を示すドア下端部の縦断面図であって、冬場の取入れ口の状態を示している。
【図３】上下方向の中間部分を省略して示すこの発明のドアの縦断面図である。
【図４】浴室の換気の流れ方向を示す概略説明図である。
【符号の説明】
(11)  ドア
(12)  浴室
(14)  第一の取入れ口
(15)  羽板
(17)  形状記憶合金製動作部材
(21)  第二の取入れ口
【図１】
0003565956.tif 000002
【図２】
0003565956.tif 000003
【図３】
0003565956.tif 000004
【図４】
0003565956.tif 000005